(57)【要約】【課題】使用状態においてユーザがヘッドバンドを容易に装着することができ、その際の装着性を向上することができ、且つ、ロック部の不用意な解除を防止することが可能な折りたたみ式保護帽を提供する。【解決手段】半球殻状をなす使用状態、及び扁平形状をなす収容状態に変更可能な折りたたみ式保護帽であり、ユーザが装着する際に左側となる左側帽体部３、及び右側となる右側帽体部５を有する。内部にはユーザの頭部に当接するハンモック５１、及びユーザの頭部周囲を固定するヘッドバンド５２を有する。ハンモック５１は、ヘッドバンド５２を連結するためのピン５８を備え、ヘッドバンド５２は長孔５７を備える。収容状態から使用状態に変更する際には、ピン５８と長孔５７の相対的な摺動により、ヘッドバンド５２の後部が左側帽体部３及び右側帽体部５の下側外周の下方にスライド移動する。【選択図】図１５
2020076166.tif 000002
【特許請求の範囲】
【請求項１】
半球殻状をなす使用状態、及び扁平形状をなす収容状態に変化させることが可能な折りたたみ式保護帽であって、
ユーザが装着する際に左側となる左側帽体部、及び右側となる右側帽体部と、
前記左側帽体部と右側帽体部の内部に設けられ、前記使用状態においてユーザの頭部に当接するハンモック、及び前記ユーザの頭部の周囲を固定するヘッドバンドと、を有し、
前記左側帽体部及び右側帽体部は、互いに帽体ヒンジ部で連結された複数のセグメントを有し、前記帽体ヒンジ部を平坦として前記収容状態とし、前記帽体ヒンジ部を山折りとして前記使用状態とし、
前記ハンモックは、前記ヘッドバンドを連結するための第１連結具を備え、
前記ヘッドバンドは、前記第１連結具に対して摺動可能に連結される第２連結具を備え、
前記収容状態では、前記ヘッドバンドは前記左側帽体部と前記右側帽体部の内側に収容されており、前記収容状態から前記使用状態に変更する際には、前記第１連結具と前記第２連結具の相対的な摺動により、前記ヘッドバンドの後部が前記左側帽体部及び右側帽体部の下側外周の下方にスライド移動すること
を特徴とする折りたたみ式保護帽。
【請求項２】
請求項１に記載の折りたたみ式保護帽において、
前記左側帽体部及び右側帽体部に設けられる少なくとも一部の前記帽体ヒンジ部は、前記左側帽体部及び右側帽体部に位置する所定の部位から、前記左側帽体部及び右側帽体部の外周まで放射状に延びており、
前記セグメントのうち、前記左側帽体部の下辺を形成する一つのセグメント、及び右側帽体部の下辺を形成する一つのセグメントは、互いに離間と連結との切り替えが可能な第１の部材と第２の部材を有する開閉式のセグメントとされ、
前記第１の部材と第２の部材を離間して前記収容状態とし、前記第１の部材と第２の部材を連結して前記使用状態とし、
前記開閉式のセグメントは、前記第１の部材と第２の部材とを固定するロック部を備えたこと
を特徴とする折りたたみ式保護帽。
【請求項３】
請求項２に記載の折りたたみ式保護帽において、
前記ロック部は、
前記第１の部材に設けられ、前記左側帽体部及び右側帽体部の外側に向けて開口した開口部と、
前記第２の部材に設けられ、該第２の部材の厚さ方向に弾性変形して、前記左側帽体部及び右側帽体部の内側から外側に向けて前記開口部に係合する突起部を有する弾性アームと、を備え、
前記突起部が前記開口部に係合して、前記使用状態を維持すること
を特徴とする折りたたみ式保護帽。
【請求項４】
請求項３に記載の折りたたみ式保護帽において、
前記突起部の先端に、該突起部が前記開口部を乗り越えることを防止する爪部を形成したこと
を特徴とする折りたたみ式保護帽。
【請求項５】
請求項２〜４のいずれか１項に記載の折りたたみ式保護帽において、
前記ロック部は、前記第１の部材と第２の部材との間の摺動をガイドするガイド部を備えたこと
を特徴とする折りたたみ式保護帽。
【発明の詳細な説明】
【技術分野】
【０００１】
本発明は、折りたたみ式保護帽に係り、特に、装着性、収容性を高める技術に関する。
【背景技術】
【０００２】
例えば、特許文献１に記載されているように、使用状態においては通常のヘルメットである略半球殻状を成してユーザがかぶることができ、使用しない収容状態では、偏平に折り畳むことで設置スペースを削減することが可能な折りたたみヘルメット（折りたたみ式保護帽）が提案されている。
【０００３】
特許文献１に記載された折りたたみ式保護帽は、収容状態にから使用状態に変化させる際には、ヘルメットの右側帽体部及び左側帽体部を構成する各セグメントを連結するヒンジ部を山折りとすることにより、右側帽体部及び左側帽体部を外側に向けて突起させて、全体を半球殻状に変化させる。そして、右側帽体部及び左側帽体部にそれぞれ設けられたロック部をロックさせて、使用状態を維持する。
【０００４】
また、使用状態から収容状態に切り替える場合には、セグメントの内側（半球殻状の内側）に設けられた押しボタンを押してロック部を解除し、右側帽体部及び左側帽体部を扁平形状に変化させる。
【先行技術文献】
【特許文献】
【０００５】
【特許文献１】特開２０１７−８９０２１号公報
【発明の概要】
【発明が解決しようとする課題】
【０００６】
しかしながら、特許文献１に開示された折りたたみ式保護帽では、使用状態とした場合において、ユーザの頭部を固定するためのヘッドバンドが右側帽体部と左側帽体部とで囲まれる半球殻状の内部に収容されているため、ユーザが装着する際の装着性が悪いという問題がある。また、使用状態から収容状態に切り替えるための押しボタンが、半球殻状の内部に設けられているため、折りたたみ式保護帽に側面から衝撃が加えられた際に、押しボタンに力が作用してロック部が解除されるという問題が発生する。
【０００７】
本発明はこのような問題を解決するためになされたものであり、その目的とするところは、使用状態においてユーザがヘッドバンドを容易に装着することができ、その際の装着性を向上することができ、且つ、ロック部の不用意な解除を防止することが可能な折りたたみ式保護帽を提供することにある。
【課題を解決するための手段】
【０００８】
上記目的を達成するため、本願の請求項１に記載の発明は、半球殻状をなす使用状態、及び扁平形状をなす収容状態に変化させることが可能な折りたたみ式保護帽であって、ユーザが装着する際に左側となる左側帽体部、及び右側となる右側帽体部と、前記左側帽体部と右側帽体部の内部に設けられ、前記使用状態においてユーザの頭部に当接するハンモック、及び前記ユーザの頭部の周囲を固定するヘッドバンドと、を有し、前記左側帽体部及び右側帽体部は、互いに帽体ヒンジ部で連結された複数のセグメントを有し、前記帽体ヒンジ部を平坦として前記収容状態とし、前記帽体ヒンジ部を山折りとして前記使用状態とし、前記ハンモックは、前記ヘッドバンドを連結するための第１連結具を備え、前記ヘッドバンドは、前記第１連結具に対して摺動可能に連結される第２連結具を備え、前記収容状態では、前記ヘッドバンドは前記左側帽体部と前記右側帽体部の内側に収容されており、前記収容状態から前記使用状態に変更する際には、前記第１連結具と前記第２連結具の相対的な摺動により、前記ヘッドバンドの後部が前記左側帽体部及び右側帽体部の下側外周の下方にスライド移動することを特徴とする。
【０００９】
請求項２に記載の発明は、請求項１に記載の折りたたみ式保護帽において、前記左側帽体部及び右側帽体部に設けられる少なくとも一部の前記帽体ヒンジ部は、前記左側帽体部及び右側帽体部に位置する所定の部位から、前記左側帽体部及び右側帽体部の外周まで放射状に延びており、前記セグメントのうち、前記左側帽体部の下辺を形成する一つのセグメント、及び右側帽体部の下辺を形成する一つのセグメントは、互いに離間と連結との切り替えが可能な第１の部材と第２の部材を有する開閉式のセグメントとされ、前記第１の部材と第２の部材を離間して前記収容状態とし、前記第１の部材と第２の部材を連結して前記使用状態とし、前記開閉式のセグメントは、前記第１の部材と第２の部材とを固定するロック部を備えたことを特徴とする。
【００１０】
請求項３に記載の発明は、請求項２に記載の折りたたみ式保護帽において、前記ロック部は、前記第１の部材に設けられ、前記左側帽体部及び右側帽体部の外側に向けて開口した開口部と、前記第２の部材に設けられ、該第２の部材の厚さ方向に弾性変形して、前記左側帽体部及び右側帽体部の内側から外側に向けて前記開口部に係合する突起部を有する弾性アームと、を備え、前記突起部が前記開口部に係合して、前記使用状態を維持することを特徴とする。
【００１１】
請求項４に記載の発明は、請求項３に記載の折りたたみ式保護帽において、前記突起部の先端に、該突起部が前記開口部を乗り越えることを防止する爪部を形成したことを特徴とする。
【００１２】
請求項５に記載の発明は、請求項２〜４のいずれか１項に記載の折りたたみ式保護帽において、前記ロック部は、前記第１の部材と第２の部材との間の摺動をガイドするガイド部を備えたことを特徴とする。
【発明の効果】
【００１３】
本発明によれば、ユーザがヘッドバンドを容易に頭部に装着してかぶることができ、且つ、ロック部が不用意に解除されることを防止することができる。
【図面の簡単な説明】
【００１４】
【図１】図１は、本発明の実施形態に係る折りたたみ式保護帽を使用状態としたときの斜視図である。
【図２】図２は、本発明の実施形態に係る折りたたみ式保護帽を使用状態としたときの天頂図である。
【図３】図３は、本発明の実施形態に係る折りたたみ式保護帽を使用状態としたときの左側の側面図（図２の「Ｉ」方向から見た図）である。
【図４】図４は、本発明の実施形態に係る折りたたみ式保護帽を使用状態としたときの後面図（図２の「ＩＩ」方向から見た図）である。
【図５】図５は、本発明の実施形態に係る折りたたみ式保護帽を収容状態としたときの斜視図である。
【図６】図６は、本発明の実施形態に係る折りたたみ式保護帽を収容状態としたときの天頂図である。
【図７】図７は、本発明の実施形態に係る折りたたみ式保護帽を収容状態としたときの左側の側面図である。
【図８】図８は、ヒンジ部の断面図であり、（ａ）は平坦としたとき、（ｂ）は折り曲げたときを示す。
【図９】図９は、図２に示す「ＩＩＩ−ＩＩＩ」の断面図である。
【図１０】図１０は、図４に示す「Ｉ−Ｉ」の断面図である。
【図１１】図１１は、ロック部の詳細な構成を示す斜視図である。
【図１２】図１２は、図７における「Ｉ−Ｉ」の断面図である。
【図１３】図１３は、保護帽を使用状態としたときの、内部の構成を示す説明図である。
【図１４】図１４は、使用状態において保護帽の内部を斜め方向から見た斜視図である。
【図１５】図１５は、使用状態において保護帽を側面に平行な平面で切断したときの様子を示す断面図である。
【図１６】図１６は、収容状態において保護帽の内部を斜め方向から見た斜視図である。
【図１７】図１７は、収容状態において、保護帽を側面に平行な平面で切断したときの様子を示す断面図である。
【図１８】図１８は、１つ目の変形例に係る折りたたみ式保護帽の、収容時における側面図である。
【図１９】図１９は、２つ目の変形例に係る折りたたみ式保護帽の、収容時における側面図である。
【図２０】図２０は、３つ目の変形例に係る折りたたみ式保護帽の、収容時における側面図である。
【図２１】図２１は、４つ目の変形例に係る折りたたみ式保護帽の、収容時における側面図である。
【図２２】図２２は、図１５に示す４つ目の変形例に係る折りたたみ式保護帽の、使用時における側面図である。
【図２３】図２３は、５つ目の変形例に係る折りたたみ式保護帽の、収容時における側面図である。
【発明を実施するための形態】
【００１５】
［本実施形態の構成の説明］
以下、本発明の一実施形態に係る折りたたみ式保護帽を、図面を参照して説明する。折りたたみ式保護帽は、例えば地震等の災害発生時に非常時用の保護帽として使用し、ユーザの頭部を保護するものであり、半球殻状をなす使用状態と、扁平状態をなす収容状態に変更可能である。即ち、図１〜図４に示す使用状態（広げた状態）、或いは図５〜図７示す収容状態（折りたたんだ状態）に変化させることにより、使用時にはユーザが装着することができ、使用しないときにはかさばることなく机の引き出しなどに収容することができる。
【００１６】
図１は、本実施形態に係る折りたたみ式保護帽１（以下、「保護帽１」と略す」を使用状態としたときの斜視図、図２は天頂図である。また、図３は図２において「Ｉ」方向から見た図（左側の側面図）、図４は図２において「ＩＩ」方向から見た図（後面図）である。
【００１７】
また、図５は、保護帽１を収容状態としたときの斜視図、図６は同天頂図である。また、図７は図６において「Ｉ」方向から見た図（左側の側面図）である。なお、本実施形態では、ユーザが保護帽１を装着したときの、ユーザ前方、後方、左方、右方をそれぞれ、保護帽１の前側、後側、左側、右側と定義する（図２参照）。更に、ユーザが保護帽１を装着したときの、ユーザの上方、下方をそれぞれ保護帽１の上側、下側と定義する（図３参照）。
【００１８】
図２に示すように、保護帽１は、前後方向に向く中心平面ＰＬの左側に位置する左側帽体部３と、右側に位置する右側帽体部５を有している。中心平面ＰＬは、保護帽１の頂上部７（図４参照）を含み左右方向に対して直交する平面である。
【００１９】
左側帽体部３と右側帽体部５とは、薄肉の中央ヒンジ部９（図２、後述する図９、図１０参照）を介して接続されている。中央ヒンジ部９の直線状の曲げ線ＳＬは、中心平面ＰＬに対して平行になっている。
【００２０】
また、保護帽１は、中心平面ＰＬを中心として左右対称に形成されている。また、保護帽１は、例えば、前後方向の中心平面ＰＬ１（図２、図３参照）に対して、一部を除いて対称に形成されている。即ち、後述するセグメント１１Ｆａ、１１Ｆｂの形状を除いて、前後対称に形成されている。
【００２１】
保護帽１を側面視（例えば、左側の側面）すると、図３に示すように、左側帽体部３が、複数の平板状のセグメント１１（１１Ａ〜１１Ｆ）を備えて構成されている。
【００２２】
各セグメント１１（１１Ａ〜１１Ｆ）は、複数のヒンジ部１３（帽体ヒンジ部；１３Ａ〜１３Ｄ）、１５（帽体ヒンジ部；１５Ａ、１５Ｂ）と、１つの切り欠き（左側帽体切り欠き）１７とによって区切られている。図８はセグメント１１Ｃと１１Ｄとの間に形成されるヒンジ部１３Ｃを詳細に示す断面図である。図８（ａ）はセグメント１１Ｃ、１１Ｄが平坦とされている状態を示し、図８（ｂ）はセグメント１１Ｃ、１１Ｄが山折りとされた状態を示している。図８（ａ）、（ｂ）に示すように、薄肉のヒンジ部１３は、直線状曲げ線ＳＬを有しており、この曲げ線ＳＬに沿って互いに隣接している厚肉のセグメント１１Ｃと１１Ｄが曲がるようになっている。即ち、ヒンジ部１３Ｃで区切られているセグメント１１Ｃとセグメント１１Ｄとは、ヒンジ部１３Ｃのところで、セグメント１１Ｃに対してセグメント１１Ｄが相対的に曲がるようになっている。なお、図８で示す曲げ線ＳＬは、図中の紙面に直交する方向に延びている。また、ヒンジ部１５についても同様である。
【００２３】
また、図３に示すように、保護帽１を側面視すると、ヒンジ部１５（１５Ａ、１５Ｂ）を除く複数のヒンジ部１３（１３Ａ〜１３Ｄ）のそれぞれは、左側帽体部３内に位置している所定の部位（例えば、中央部４或いは中心）から左側帽体部３の外周まで放射状に延びている。
【００２４】
ヒンジ部１５Ａは保護帽１の前側で、セグメント１１Ａとセグメント１１Ｂとを区切っており、ヒンジ部１５Ｂは保護帽１の後側で、セグメント１１Ｄとセグメント１１Ｅとを区切っている。
【００２５】
また、保護帽１を側面視すると、図３、図７等に示すように、左側帽体部３のセグメント１１Ｆは、切り欠き１７によって前側セグメント１１Ｆａと後側セグメント１１Ｆｂとに分割されている。
【００２６】
また、保護帽１を側面視すると、切り欠き１７の前側セグメント１１Ｆａ側の縁部１７ａと、後側セグメント１１Ｆｂ側の縁部１７ｂとは、互いを補完する形状になっている（図３、図７参照）。即ち、切り欠き１７の縁部１７ａと縁部１７ｂとを突き合わせると、縁部１７ａの全長と縁部１７ｂの全長とが接触し、切り欠き１７が閉じてほぼ消失するようになっている。つまり、前側セグメント１１Ｆａと後側セグメント１１Ｆｂが切り欠き１７で突き合わされることにより、一体側のセグメント１１Ｆが形成される。即ち、各帽体部３、５の下辺を形成する一つのセグメント（１１Ｆ）は、離間と連結とを切り替え可能な開閉式のセグメントとされている。
【００２７】
そして、開閉式のセグメント１１Ｆの前側セグメント１１Ｆａと、後側セグメント１１Ｆｂを離間させることによりヒンジ部１３、１５（帽体ヒンジ部）を平坦状態として各セグメント１１で形成される左側帽体部３、右側帽体部５を扁平状態とする。また、前側セグメント１１Ｆａと、後側セグメント１１Ｆｂを連結させることにより、ヒンジ部１３、１５（帽体ヒンジ部）を山折り状態として、各セグメント１１で形成される左側帽体部３、右側帽体部５をユーザが装着可能な状態である半球殻状とする。
【００２８】
なお、縁部１７ａ、１７ｂは、直線状に形成されている必要は無く、一部が円弧状等の曲線状になっていてもよいし、全体が曲線状、折れ線状等の形状になっていてもよい。
【００２９】
また、保護帽１の右側帽体部５についても左側帽体部３と同様に、複数の平板状のセグメント１１（１１Ａ〜１１Ｆ（１１Ｆａ、１１Ｆｂ））を備えて構成されている。これらのセグメント１１（１１Ａ〜１１Ｆ）は、右側帽体部５内に位置している所定の部位（例えば、中央部４或いは中心）から右側帽体部５の外周まで放射状に延びる複数のヒンジ部１３（帽体ヒンジ部；１３Ａ〜１３Ｄ）と、ヒンジ部１５（帽体ヒンジ部；１５Ａ、１５Ｂ）と、上記所定の部位から右側帽体部５の外周まで延びる１つの切り欠き１７とによって区切られている。
【００３０】
また、図２、図６等に示すように、保護帽１の左側帽体部３と右側帽体部５との間には、左右方向に一定の幅を備えた細長い板状の中央帽体部２３が、保護帽１の前後方向に向けて設けられている。
【００３１】
中央帽体部２３は、前後方向における複数の中間部で、複数のセグメント（左側帽体部のセグメント１１や右側帽体部のセグメント１１とは別の剛体とみなせる中央セグメント）２３Ａ〜２３Ｅに分割されている。中央帽体部２３を複数の中央セグメント２３Ａ〜２３Ｅに分割する分割線は複数存在しており、各分割線のそれぞれは、保護帽１の前後方向で互いが離れ、中央帽体部２３の幅方向の全長にわたって延びている。
【００３２】
図９は、図２に示す「ＩＩＩ−ＩＩＩ」の断面図である。図９に示すように、左側帽体部３と右側帽体部５とは、連結部４３を介して連結されており、更に、連結部４３の上方を覆うように、中央セグメント２３Ｃが設けられている。また、中央セグメント２３Ｃに設けられた爪４８が連結部４３の孔に係合することにより、中央セグメント２３Ｃが連結部４３に固定されている。
【００３３】
図１０は、図４に示す「Ｉ−Ｉ」断面図であり、中央セグメント２３Ｃ以外の中央セグメント２３Ａ、２３Ｂ、２３Ｄ、２３Ｅの下側では、左側帽体部３の連結部４５と右側帽体部５の連結部４７とが上下に重なっており、中央セグメント２３Ａ、２３Ｂ、２３Ｄ、２３Ｅによって重なりが保持されている。また、中央セグメント２３Ｄに設けられた爪４８が連結部４７の孔に係合することにより、中央セグメント２３Ｄが連結部４７に固定されている。
【００３４】
また、爪４８の係合を解除することにより、分解が可能であり、分解することで、保護帽１は、左側帽体部３およびこれにつながっている右側帽体部５と、中央帽体部２３の各中央セグメント２３Ａ、２３Ｂ、２３Ｃ、２３Ｄ、２３Ｅとの６つに分解されるようになっている。
【００３５】
また、図２、図６に示すように、左側帽体部３及び右側帽体部５に設けられる各セグメント１１の上側の縁には、左側中央ヒンジ部９（９ＡＬ〜９ＥＬ）、右側中央ヒンジ部９（９ＡＲ〜９ＥＲ）が設けられている。
【００３６】
左側帽体部３の上側の外周部における各セグメント１１Ａ〜１１Ｅの縁１９（１９Ａ〜１９Ｅ）のそれぞれが、各左側中央ヒンジ部９ＡＬ〜９ＥＬのそれぞれを介して、中央セグメント２３Ａ〜２３Ｅのそれぞれに連結されている。
【００３７】
右側帽体部５の上側の外周部における各セグメント１１Ａ〜１１Ｅの縁１９（１９Ａ〜１９Ｅ）のそれぞれが、各右側中央ヒンジ部９ＡＲ〜９ＥＲのそれぞれを介して、中央セグメント２３Ａ〜２３Ｅのそれぞれに連結されている。
【００３８】
図６に示す収容状態では、保護帽１は、中央ヒンジ部９のところで、中央帽体部２３に対して左側帽体部３がほぼ直角に曲がり、中央帽体部２３に対して右側帽体部５がほぼ直角に曲がり、上述したように、左側帽体部３の厚さ方向と右側帽体部５の厚さ方向とがほぼ一致するようになっている。
【００３９】
また、収容状態では、左右方向で（中央帽体部２３の幅方向で）、中央帽体部２３の幅寸法の値と、左側帽体部３と右側帽体部５とが互いに重なった厚さ寸法の値とほぼ一致しており、中央帽体部２３の左端と左側帽体部３の左端面（外面）とがほぼ一致し、中央帽体部２３の右端と右側帽体部５の右端面（外面）とがほぼ一致するように構成されている。即ち、図５、図６に示すように収容状態においては、保護帽１は扁平形状となる。
【００４０】
一方、図３に示すように、左側帽体部３の下側の外周部における各セグメント１１Ａ、１１Ｂ、１１Ｄ、１１Ｅ、１１Ｆの縁２１（２１Ａ〜２１Ｅ）、及び右側帽体部５の下側の外周部における各セグメント１１Ａ、１１Ｂ、１１Ｄ、１１Ｅ、１１Ｆの縁２１（２１Ａ〜２１Ｅ）のそれぞれは、ユーザが保護帽１を装着する際に、該保護帽１の下側の、頭部を入れる開口部になる。
【００４１】
保護帽１を使用状態から折りたたんで収容状態に変化させる際には、図７に示すように、セグメント１１Ｆに形成された切り欠き１７が前後方向に開くことで（縁部１７ａと縁部１７ｂとの間隔が最大になることにより）、左側帽体部３と右側帽体部５とが平板状（扁平形状）になるように構成されている。即ち、左側帽体部３の厚さ方向と右側帽体部５の厚さ方向とが互いに一致し、この厚さ方向から見たときに左側帽体部３の全てと右側帽体部５の全てが互いが重なるように構成されている。
【００４２】
また、使用状態とする際には、図３に示すように保護帽１は、切り欠き１７が閉じることにより、切り欠き１７の縁部１７ａと縁部１７ｂとが突き合わされて、左側帽体部３及び右側帽体部５に設けられる各ヒンジ部１３、１５にて各セグメント１１（左側帽体セグメントおよび右側帽体セグメント）が山折りされて、左側帽体部３が左側に凸になり、右側帽体部５が右側に凸になることで、半球殻状（椀状）になるように構成されている。
【００４３】
半球殻状とは、所定の半径の第１の球から、この第１の球の半径よりも僅かに小さい半径で前記第１の球と中心が一致する第２の球を取り除いた形状の立体を、前記各球の中心もしくはこの近傍を通る平面で２分割したときに形成される一方の立体である。
【００４４】
使用するときの保護帽１は、およそ「半球殻状」に形成されているのであって、完全な「半球殻」形状に形成されているわけではない。即ち、使用するときの保護帽１は、着用者の頭部の形状に合うようにするために、左右方向の寸法よりも前後方向の寸法を大きくしている等の形状に形成されている。また、使用するときの保護帽１の頭部を入れる開口部（淵；下側の端）も、完全な円形ではなく、着用者の頭部の形状に合うようにするために、適宜形状を変化させている。
【００４５】
収容するとき（収容状態）においても、使用するとき（使用状態）においても、更に収容状態と使用状態との間の中間状態においても、中央ヒンジ部９の曲げ線ＳＬは、中心平面ＰＬに常に平行なままであって、中心平面ＰＬとの距離は一定になっている。
【００４６】
ここで、保護帽１についてさらに詳しく説明する。左側帽体部３は、硬質の合成樹脂で構成されている。
【００４７】
保護帽１の収容状態を側面視すると、図７に示すように、各ヒンジ部１３（１３Ａ〜１３Ｄ）のそれぞれは、左側帽体部３の中央部４（前後方向の中央であって上下方向の中央より僅かに下方）から放射状に延びている。また、ヒンジ部１５Ａは、左側帽体部３の前側で斜め上下方向に延びており、ヒンジ部１５Ｂは、左側帽体部３の後側で斜め上下方向に延びている。
【００４８】
これにより、図７に示すように、中央ヒンジ部９Ｃとヒンジ部１３Ｂとヒンジ部１３Ｃとで囲まれた三角形状（二等辺三角形状）のセグメント１１Ｃが、左側帽体部３の中央部４の上側に形成されている。
【００４９】
また、中央ヒンジ部９Ｂとヒンジ部１３Ｂとヒンジ部１５Ａとヒンジ部１３Ａと円弧形状の縁２１Ｂとで囲まれたセグメント１１Ｂが、左側帽体部３の前側でセグメント１１Ｃに隣接して形成されている。
【００５０】
また、中央ヒンジ部９Ａとヒンジ部１５Ａと縁２１Ａとで囲まれた三角形状のセグメント１１Ａが、左側帽体部３の前側でセグメント１１Ｂに隣接して形成されている。
【００５１】
また、中央ヒンジ部９Ｄとヒンジ部１３Ｃとヒンジ部１５Ｂとヒンジ部１３Ｄと円弧形状の縁２１Ｄとで囲まれたセグメント１１Ｄが、左側帽体部３の後側でセグメント１１Ｃに隣接して形成されている。
【００５２】
また、中央ヒンジ部９Ｅとヒンジ部１５Ｂと縁２１Ｅとで囲まれた三角形状のセグメント１１Ｅが、左側帽体部３の後側でセグメント１１Ｄに隣接して形成されている。
【００５３】
更に、保護帽１の使用状態を側面視すると、図３に示すように、ヒンジ部１３Ａとヒンジ部１３Ｄと縁２１Ｃとで囲まれた三角形状（二等辺三角形状）のセグメント１１Ｆが、セグメント１１Ｂとセグメント１１Ｄとに隣接して、左側帽体部３の中央部４の下側に形成されている。なお、本実施形態では、各ヒンジ部１３、１５、各セグメント１１は、前後方向で対称に形成されている。しかし、本発明はこれに限定されるものではない。
【００５４】
また、保護帽１の収容状態を側面視すると、図７に示すように、切り欠き１７は、セグメント１１Ｆに形成されており、中央部４を頂点として概ね三角な形状に形成されている。切り欠き１７によって、セグメント１１Ｆは、概ね三角な形状に形成されている前側セグメント１１Ｆａと、概ね三角な形状に形成されている後側セグメント１１Ｆｂとに分割されている。更に、セグメント１１Ｆには、前側セグメント１１Ｆａと後側セグメント１１Ｆｂとの固定、及び解除を切り替えるための、ロック部２５が形成されている。
【００５５】
［ロック部の説明］
以下、セグメント１１Ｆに設けられるロック部２５の構成について説明する。保護帽１には、使用状態における半球殻状の形状を維持するためのロック部２５が設けられている。前述したように、保護帽１を使用状態とする場合には、図３の側面図に示すように、前側セグメント１１Ｆａの縁部１７ａと後側セグメント１１Ｆｂの縁部１７ｂを突き合わせた形状とする。ロック部２５は、２つのセグメント１１Ｆａ、１１Ｆｂを突き合わせた状態を維持するために、設けられている機構である。
【００５６】
図１１は、ロック部２５の詳細な構成を示す斜視図であり、以下、図１１及び図７（側面図）を参照してロック部２５の詳細について説明する。図１１に示すように、前側セグメント１１Ｆａと後側セグメント１１Ｆｂは、左側帽体部３の中央部４を中心として、回転可能な構造とされている。
【００５７】
前側セグメント１１Ｆａは、表面部１１Ｆａ１と裏面部１１Ｆａ２が一定の間隔を開けて対向配置されて構成されている。そして、双方の隙間となる隙間部Ｑ１が形成されている。後側セグメント１１Ｆｂは、この隙間部Ｑ１に入出するロック部構成部材１１１を備えている。
【００５８】
図７、図１１に示すように、ロック部構成部材１１１は、薄い板状で所定の幅を有する円弧状に形成されている。なお、図７の紙面に直交する方向がロック部構成部材１１１の厚さ方向である。
【００５９】
ロック部構成部材１１１のほぼ中央には、「コ」字状の切り欠き１１６が形成されている。これにより、ロック部構成部材１１１の中央には、該ロック部構成部材１１１の円弧の方向で、該ロック部構成部材１１１の厚さ方向に弾性変形する片持ち梁状の弾性アーム１１２が形成されている。
更に、ロック部構成部材１１１には、前側セグメント１１Ｆａの摺動をガイドするための摺動溝１１５が形成されている。
【００６０】
弾性アーム１１２の先端部には、後側セグメント１１Ｆｂの厚さ方向の外側に突起する突起部１１３が形成されている。突起部１１３は、ユーザが指で間便に押すことができる程度の大きさとされている。また、突起部１１３の先端には、２つの爪部１１４が形成されている。爪部１１４は、突起部１１３が後述する開口部１２１を乗り越えることを防止するために設けられている。
【００６１】
一方、前側セグメント１１Ｆａの表面部１１Ｆａ１には、突起部１１３とほぼ同一形状の開口部１２１が開口されている。即ち、開口部１２１は、左側帽体部３及び右側帽体部５の外側に向けて開口している。開口部１２１の周囲は、表面部１１Ｆａ１よりも厚さ方向に若干突起した凸形状部１２２が形成されている。図１２は、図７における「Ｉ−Ｉ」断面図であり、図１２に示すように、ロック部構成部材１１１に形成された突起部１１３は、表面部１１Ｆａ１よりも厚さ方向の若干外側（図中、上側）に突起している。更に、図７、図１１に示すように、表面部１１Ｆａ１には、ロック部構成部材１１１が隙間部Ｑ１内での摺動をガイドするための係合突起２２３が形成されている。
【００６２】
上記のように構成されたロック部２５は、前側セグメント１１Ｆａと後側セグメント１１Ｆｂが離間した収容状態（図７、図１１に示す状態）から、連結した使用状態（図３に示す状態）に変化させる際に、２つのセグメント１１Ｆａと１１Ｆｂを、図１１に示す矢印Ｙ１に示す方向に押すと（１１Ｆａと１１Ｆｂの間隔を狭めると）、突起部１１３が隙間部Ｑ１内に入り、開口部１２１と係合して固定される。即ち、２つのセグメント１１Ｆａと１１Ｆｂが接合した状態で維持される。この際、突起部１１３の先端には、２つの爪部１１４が形成されていることにより、突起部１１３が開口部１２１を乗り越えることを防止できる。
【００６３】
即ち、左側帽体部３を形成する各セグメント１１（１１Ａ〜１１Ｆ）を接続する各ヒンジ部（１３、１５）は、通常時において図８（ａ）に示したように、各セグメント１１を平坦にする方向に付勢されている。従って、ロック部２５を設けなければ、２つのセグメント１１Ｆａと１１Ｆｂは互いに離間する方向に力が作用する。ロック部２５を設けることにより、２つのセグメント１１Ｆａと１１Ｆｂが突き合わされた状態を維持することができる。
【００６４】
一方、図３に示した使用状態から、収容状態に変化させる場合には、図３に示した状態において、突起部１１３を内側に向けて押すと、突起部１１３と開口部１２１との間の係合が解除される。従って、２つのセグメント１１Ｆａと１１Ｆｂの間には、図１１の矢印Ｙ２に示す方向に力が作用し、ロック部構成部材１１１が隙間部Ｑ１の外側に摺動して、２つのセグメント１１Ｆａと１１Ｆｂが離間する。更に、ロック部構成部材１１１が摺動する際に、係合突起２２３が摺動溝１１５内を移動することにより、ロック部構成部材１１１の摺動がガイドされる。このため、安定的にロック部構成部材１１１を隙間部Ｑ１内へ出し入れすることができる。
【００６５】
即ち、ロック部２５は、セグメント１１Ｆ（開閉式のセグメント）に設けられ、互いに摺動可能な後側セグメント１１Ｆｂ（第１の部材）と、前側セグメント１１Ｆａ（第２の部材）を備えている。そして、後側セグメント１１Ｆｂのロック部構成部材１１１に形成された弾性アーム１１２と、前側セグメント１１Ｆａに設けられた表面部１１Ｆａ１に形成された開口部１２１とが係合することにより、前側セグメント１１Ｆａと後側セグメント１１Ｆｂとを固定することができる。
【００６６】
また、ロック部２５は、後側セグメント１１Ｆｂ（第１の部材）と前側セグメント１１Ｆａ（第２の部材）との間の摺動をガイドする係合突起２２３、及び摺動溝１１５からなるガイド部を備えている。従って、後側セグメント１１Ｆｂ（第１の部材）と前側セグメント１１Ｆａ（第２の部材）とを円滑に摺動させることができる。
【００６７】
また、図６、図１１に示すように、２つのセグメント１１Ｆａ、１１Ｆｂが離間した状態において、離間した領域のほぼ全体がロック部構成部材１１１により閉塞されているので、離間した隙間に人の指が入るなどの問題の発生を防止できる。また、特許文献１に開示された折りたたみ式保護帽では、ロック部が半球殻状の内部に設けられ、かつヘッドバンドがロック部の上に重なっているため、ロック部を見つけづらく操作もしずらかった。これに対し、本実施形態に係る保護帽ではロック部を半球殻状の外側に設置することでロック部を見つけ易く、更に操作もし易くなる。
【００６８】
［保護帽１の内部構造の説明］
次に、保護帽１の内部の構造について説明する。図１３は保護帽１を使用状態としたときの、内部の構成を示す説明図である。即ち、図１に示した保護帽１を、矢印Ｙ３の方向から見た図である。また、図１４は保護帽１の内部を斜め方向から見た斜視図、図１５は保護帽１を側面に平行な平面で切断したときの様子を示す断面図である。また、図１６は保護帽１を収容状態としたときの、該保護帽１の内部を斜め方向から見た斜視図、図１７は保護帽１を側面に平行な平面で切断したときの様子を示す断面図である。
【００６９】
図１３、図１４に示すように、保護帽１の内面には、ユーザの頭部を覆って保護するためのハンモック５１が設けられている。ハンモック５１は、左側帽体部３及び右側帽体部５の内面側に固定され、例えば、合成樹脂などで構成され柔軟性を有している。そして、保護帽１の使用状態において、ユーザの頭部に当接して頭部を保護する。図１３に示すように、ハンモック５１の中央には、発砲スチロールなどで構成される衝撃緩衝材５６が設けられている。また、ハンモック５１の左側及び右側には、それぞれユーザの頭部の周囲（特に、側面）を固定するためのヘッドバンド５２、５３が設けられている。ヘッドバンド５２、５３は、ハンモック５１と一体に構成されていても良いし、別体として構成されていても良い。ヘッドバンド５２、５３は例えば柔軟性を有する合成樹脂で構成されている。
【００７０】
ヘッドバンド５２、５３には、幅広の紐を挿通可能な開口部が形成され、この開口部に頭部紐５４が挿通されている。頭部紐５４は、ユーザが保護帽１を装着した際に、ユーザの頭部の周囲を固定して、保護帽１をユーザの頭部に固定する機能を有する。また、頭部紐５４にはアジャスタ５５が設けられており、ユーザの頭部の大きさに応じて頭部紐５４の長さを調整することができる。更に、図１３、図１４では図示を省略しているが、ハンモック５１には、図１に示す耳紐５９、及びあご紐６０が取り付けられている。
【００７１】
図１３、図１４に示すように、ヘッドバンド５２、５３には、保護帽１の内側に向けて突起する突起部６１が形成されており、該突起部６１には、長孔５７（第２連結具）が形成されている。更に、ハンモック５１の、上記長孔５７と重複する位置の適所には、左側帽体部３及び右側帽体部５に固定するピン５８（第１連結具）が形成されている。ピン５８は、長孔５７に係合しており、長孔５７に沿って符号ｑ１（図１４参照）に示す位置と符号ｑ２に示す位置との間で、摺動可能とされている。即ち、第２連結具（長孔５７）は、第１連結具（ピン５８）に対して摺動可能に連結されている。
【００７２】
なお、本実施形態ではヘッドバンド５２、５３に長孔５７を形成し、ハンモック５１にピン５８を形成する例について示しているが、本発明はこれに限定されず、第１の連結具と第２の連結具との相対的な摺動により、ヘッドバンド５２、５３の後部が左側帽体部３、及び右側帽体部５の下側外周の下方にスライド移動する構成であれば、その他の構成としても良い。
【００７３】
図１４、図１５に示すように、保護帽１が使用状態とされている場合には、ピン５８は長孔５７の符号ｑ１の位置に移動する。このため、ヘッドバンド５２、５３の後部側は、保護帽１の下方に下げられ、頭部紐５４の後部（即ち、アジャスタ５５の付近）は、下方に下げられる。従って、図１５に示すように、ユーザＰ１が保護帽１を装着する際には、頭部紐５４の後部を、ユーザＰ１の後頭部に容易に係合して装着することができる。
【００７４】
一方、図１４、図１５に示した使用状態から、図１６、図１７に示す収容状態に変化させる場合には、左側帽体部３と右側帽体部５を中央に向けて押しつけることにより、ヘッドバンド５２の後部が上方に向けて付勢される。ヘッドバンド５３も同様である。このため、図１６に示すように、ヘッドバンド５２（５３）に設けられた長孔５７は、ピン５８に支持されて上方に移動する。即ち、ピン５８は、長孔５７の符号ｑ１から符号ｑ２の位置に移動する。このため、ヘッドバンド５２の後部側は、保護帽１の上方に持ち上げられ、頭部紐５４の後部（即ち、アジャスタ５５の付近）は、左側帽体部３と右側帽体部５の内部に収容される。即ち、図１５と図１７を比較すると、図１７に示す収容状態では、保護帽１の後部側において、頭部紐５４が上部に移動している。従って、保護帽１を収容状態とした場合には、ヘッドバンド５２、５３、及び頭部紐５４が左側帽体部３と右側帽体部５の外側にはみ出すことがなく、収容性が高めることができる。
【００７５】
本実施形態に係る保護帽１は、常態では、図５に示す如くの収容状態で、カバン内や机の引き出し等の収容場所（保管場所）に保管しておく。災害等の使用時には、図１に示す使用状態にしてかぶることで頭部を覆うことができる。
【００７６】
［本実施形態の作用の説明］
次に、上述のように構成された保護帽１の作用について説明する。前述したように、保護帽１を収納状態としているときには、図５〜図７に示したように、ロック部２５が解除された状態であり、左側帽体部３及び右側帽体部５が扁平形状となって、収納しやすい状態となっている。従って、机の引き出しなどに容易に収容することが可能である。
【００７７】
一方、災害発生時など保護帽１を使用する場合には、保護帽１の前側と後側を持って、前後を縮める方向に力を加える。すると、左側帽体部３及び右側帽体部５を構成する各セグメント１１が各ヒンジ部１３、１５にてそれぞれ山折りに曲げられ、全体が半球殻状となる。更に、この際には、セグメント１１Ｆを構成する前側セグメント１１Ｆａと後側セグメント１１Ｆｂの縁部１７ａ、１７ｂが突き合わされて、ロック部２５がロックされる。即ち、前述した弾性アーム１１２が弾性変形して、突起部１１３が前側セグメント１１Ｆａに形成された開口部１２１内に係合して、２つのセグメント１１Ｆａ、１１Ｆｂが図３に示した状態でロックされる。
【００７８】
従って、保護帽１が半球殻状、即ち、ヘルメット形状とされる。従って、ユーザは保護帽１をかぶり、頭部を保護することが可能になる。この際、保護帽１の内部には、ハンモック５１及び衝撃緩衝材５６が設けられているので、保護帽１の外部より衝撃が加えられた際に、衝撃を緩和することができる。
【００７９】
また、保護帽１を収容状態から使用状態に変化させることにより、頭部紐５４の後部側が下方に移動するので、ユーザが装着する際には、頭部紐５４を後頭部に容易に装着することができ、且つ、装着性を向上させることが可能となる。
【００８０】
更に、保護帽１を使用状態から収容状態に変化させる際には、ロック部２５に設けられた突起部１１３を押すことにより、容易に前側セグメント１１Ｆａと後側セグメント１１Ｆｂとの係合を解除して、収容状態に変化させることができる。
【００８１】
［本実施形態の効果の説明］
このように、本実施形態に係る折りたたみ式保護帽１においては、以下に示す効果を達成することが可能となる。
（１）収容状態とする際には、１つの切り欠き１７を開くだけで左側帽体部３と右側帽体部５とが扁平形状となるので、容易に使用状態から収容状態に変化させることが可能となる。保護帽１が扁平形状となることにより、かさばることが防止され、常時、カバンやバッグ内に入れて携帯することができ、また、職場や家庭での保管スペースを小さくすることができる。
【００８２】
（２）地震等の非常時には、素早く簡単に使用状態とすることができ、例えば、出張の際にはカバンに入れて持ち運ぶことができる。
【００８３】
（３）収容状態のときに、左側帽体部３の厚さ方向と右側帽体部５の厚さ方向とがほぼ一致し、左右方向で中央帽体部２３の左端と左側帽体部３の左端面とがほぼ一致し、中央帽体部２３の右端と右側帽体部５の右端面とがほぼ一致するように構成されている。これにより、収容状態のときに、折りたたみ式保護帽１が扁平形状となり、かさばらず取扱いがしやすくなる。
【００８４】
（４）使用するときの形状を維持するためのロック部２５を有し、左側帽体部３及び右側帽体部５の外側に設けられた突起部１１３を押すことにより、ロック部２５のロック状態を解除できるので、解除操作を容易に行うことができる。また、解除するための突起部１１３が保護帽１の外面に設けられているので、内部からの衝撃により意図せずにロック部２５が解除されることを防止できる。
【００８５】
（５）保護帽１を収容状態とした際には、ヘッドバンド５２、５３が左側帽体部３と右側帽体部５の内部に収容されるので収容性がよい。また、保護帽１を使用状態とした際には、ヘッドバンド５２、５３の後部が、保護帽１の下方に移動するので、該ヘッドバンド５２、５３に係合する頭部紐５４の後部が下方に移動する。このため、ユーザの後頭部に容易に頭部紐５４を係合させて安定性よく装着することができる。
【００８６】
（６）図１１に示すように、ロック部構成部材１１１に摺動溝１１５を形成し、前側セグメント１１Ｆａの表面部１１Ｆａ１には、ロック部構成部材１１１が隙間部Ｑ１内での摺動をガイドするための係合突起２２３を形成しているので、前側セグメント１１Ｆａ（第１の部材）と後側セグメント１１Ｆｂ（第２の部材）との摺動を円滑にすることができる。
【００８７】
（７）図１１に示すように、弾性アーム１１２に設けられる突起部１１３の先端には、２つの爪部１１４が形成されているので、突起部１１３が開口部１２１を乗り越えることを防止することができる。
【００８８】
（８）図１１に示すように、開口部１２１の周囲は、表面部１１Ｆａ１よりも厚さ方向に若干突起した凸形状部１２２が形成されているので、誤って突起部１１３が押されることを防止することができる。
【００８９】
［変形例の説明］
次に、本実施形態の変形例について説明する。前述した実施形態では、図３、図７等に示しているように、左側帽体部３及び右側帽体部５を６個のセグメント１１（１１Ａ〜１１Ｆ）を組み合わせて構成する例について説明した。本発明はこれに限定されるものではなく、セグメントの個数及びヒンジの位置は種々の変形が可能である。
【００９０】
図１８〜図２３は、各種の変形例を模式的に示す説明図である。図１８で示す１つ目の変形例に係る保護帽１では、左側帽体部３（右側帽体部５）が、８つのセグメント１１と７つのヒンジ部１３、１５で構成されている。これにより、図示しないが、中央帽体部２３が６つのセグメントで構成されている。切り欠き１７は、下方に設けられている。
【００９１】
図１９で示す２つ目の変形例に係る折りたたみ式保護帽１では、左側帽体部３（右側帽体部５）が、７つのセグメント１１と６つのヒンジ部１３、１５で構成されている。これにより、図示しないが、中央帽体部２３が５つのセグメントで構成されている。切り欠き１７は、後方（前方でもよい）に設けられている。
【００９２】
図２０で示す３つ目の変形例に係る折りたたみ式保護帽１では、左側帽体部３（右側帽体部５）が、７つのセグメント１１と６つのヒンジ部１３、１５で構成されている。これにより、図示しないが、中央帽体部２３が５つのセグメントで構成されている。切り欠き１７は、図１９で示す２つ目の変形例に係る折りたたみ式保護帽１とは別の箇所で後方（前方でもよい）に設けられている。
【００９３】
図２１や図２２で示す４つ目の変形例に係る折りたたみ式保護帽１では、左側帽体部３（右側帽体部５）が、６つのセグメント１１と５つのヒンジ部１３、１５で構成されている。これにより、図示しないが、中央帽体部２３が５つのセグメントで構成されている。切り欠き１７は、下方に設けられている。ただし、各ヒンジ部１３や切り欠き１７が、線状（たとえば直線状）の中央部４から放射状に延びている。なお、図２１は折りたたみ式保護帽１の収容状態を示しており、図２２は折りたたみ式保護帽１の使用状態を示している。
【００９４】
図２３で示す５つ目の変形例に係る折りたたみ式保護帽１では、左側帽体部３（右側帽体部５）が、７つのセグメント１１と６つのヒンジ部１３、１５で構成されている。これにより、図示しないが、中央帽体部２３が５つのセグメントで構成されている。切り欠き１７は、下方に設けられている。ただし、各ヒンジ部１３や切り欠き１７が、図２１や図２２で示すものとは異なる態様で、線状（たとえば直線状もしは三角形状と解してもよい）の中央部４から放射状に延びている。図２３は、折りたたみ式保護帽１の収容状態を示している。
【００９５】
なお、折りたたみ式保護帽１において、中央帽体部２３を無くし、左側帽体部３と右側帽体部５とをヒンジ部を介して直接連結してもよい。
【００９６】
また、上記説明では、各セグメント１１が平板状になっているが、各セグメント１１を曲率半径の大きな球面の一部で構成してもよい。これにより、使用状態での折りたたみ式保護帽１の形状がより滑らかになり球殻状に近い形状になる。
【００９７】
以上、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００９８】
１  おりたたみ式保護帽（保護帽）
３  左側帽体部
４  中央部
５  右側帽体部
７  頂上部
９（９Ａ〜９Ｅ）  中央ヒンジ部
１１（１１Ａ〜１１Ｆ）  セグメント
１１Ｆａ  前側セグメント
１１Ｆａ１  表面部
１１Ｆａ２  裏面部
１１Ｆｂ  後側セグメント
１３（１３Ａ〜１３Ｄ）  ヒンジ部
１５（１５Ａ、１５Ｂ）  ヒンジ部
１７ａ、１７ｂ  縁部
１９（１９Ａ〜１９Ｅ）  縁
２１（２１Ａ〜２１Ｅ）  縁
２３  中央帽体部
２３Ａ〜２３Ｅ  中央セグメント
２５  ロック部
４３、４５、４７  連結部
４８  爪
５１  ハンモック
５２、５３  ヘッドバンド
５４  頭部紐
５５  アジャスタ
５６  衝撃緩衝材
５７  長孔
５８  ピン
５９  耳紐
６０  あご紐
６１  突起部
１１１  ロック部構成部材
１１２  弾性アーム
１１３  突起部
１１４  爪部
１１５  摺動溝
１２１  開口部
１２２  凸形状部
２２３  係合突起
Ｐ１  ユーザ
Ｑ１  隙間部
【図１】
2020076166.tif 000003
【図２】
2020076166.tif 000004
【図３】
2020076166.tif 000005
【図４】
2020076166.tif 000006
【図５】
2020076166.tif 000007
【図６】
2020076166.tif 000008
【図７】
2020076166.tif 000009
【図８】
2020076166.tif 000010
【図９】
2020076166.tif 000011
【図１０】
2020076166.tif 000012
【図１１】
2020076166.tif 000013
【図１２】
2020076166.tif 000014
【図１３】
2020076166.tif 000015
【図１４】
2020076166.tif 000016
【図１５】
2020076166.tif 000017
【図１６】
2020076166.tif 000018
【図１７】
2020076166.tif 000019
【図１８】
2020076166.tif 000020
【図１９】
2020076166.tif 000021
【図２０】
2020076166.tif 000022
【図２１】
2020076166.tif 000023
【図２２】
2020076166.tif 000024
【図２３】
2020076166.tif 000025